(57)【特許請求の範囲】
【請求項１】
（ａ）ＭＳＣで国際ローミング移動局を登録する段階；
（ｂ）前記国際ローミング移動局に対するルーティング要求メッセージが受信された時、前記ＭＳＣで前記ルーティング要求メッセージが国際ルーティング要求であるかを判断する段階；及び
（ｃ）前記段階（ｂ）で前記ルーティング要求メッセージが国際ルーティング要求の場合、前記ＭＳＣは、前記国際ローミング移動局の国際ルーティング番号を発生させ、前記発生した国際ルーティング番号を伝送する段階；で構成されることを特徴とする国際自動ローミングサービス方法。
【請求項２】
前記方法は、前記ＭＳＣで前記国際ローミング移動局からの通話要請信号を受信した場合、前記ＭＳＣが前記国際ローミング移動局に仮想の発信番号を割り当て、前記仮想の発信番号を呼接続メッセージ内の発信番号として伝送する段階；をさらに含むことを特徴とする請求項１に記載の国際自動ローミングサービス方法。
【請求項３】
前記国際ルーティング番号は、ＴＬＤＮに国家コード及び前記ＭＳＣの移動事業者コードを追加したものであることを特徴とする請求項２に記載の国際自動ローミングサービス方法。
【発明の詳細な説明】
【０００１】
【発明の属する技術分野】
本発明は国際自動ローミングサービス方法に関し、特に、国内の加入者が外国でのサービスを選択することができ、国内を訪問している外国の加入者に正常的な移動電話サービスを提供し得る国際自動ローミングサービス方法に関する。
【０００２】
【従来の技術】
加入移動局にダイヤルされた入力通話を取扱うセルラー電話ネットワークの動作が公知である。移動局にダイヤルされた入力通話信号の発信ＭＳＣでの受信に応答して、ダイヤルされた移動局に対する位置要請メッセージがＨＬＲ（Home Location Register）に伝送される。ＨＬＲは、上記呼び出された移動局に現在サービスを提供しているＭＳＣ（Mobile Switching Center）を確認する。ルーティング要請メッセージは、上記通話分配を準備し得るようにＨＬＲから上記サービスＭＳＣに伝送される。上記サービスＭＳＣは呼び出された移動局の位置を判断し、その位置に対する適切なルーティング番号（例えば、任意の位置ディレクトリ番号又はローミング番号）を割り当て、上記ルーティング番号で上記ＨＬＲに応答する。上記割り当てられたルーティング番号は、発信ＭＳＣに提供され、入力された呼び出しをダイヤルされた移動局に提供するための発信ＭＳＣ及びサービスＭＳＣとの間の通話連結を確立するのに使用される。上記呼び出された移動局への通話の提供は、現在上記移動局にサービスを提供している基地局に連結された基地局制御機との電話連結を確立することによりなされる。また、次いで、基地局と移動局との間の無線周波数通信リンクが確立される。
【０００３】
しかし、呼設定メッセージの発信番号情報に外国加入者の発信番号を使用する場合、国内とは異なる番号体系に因って混線が発生する問題があった。また、現在は国内加入者が外国サービス網からサービスを提供される場合、希望する国際電話サービス供給者を通して受信することができず、また、国内のサービスとは異なり、外国でのサービス選択を加入者が任意に選択することができない。
【０００４】
【発明が解決しようとする課題】
本発明は上記のような問題点に鑑みてなされたものであり、本発明の目的は、国内の加入者が選択的に外国での移動電話サービスを受けることができる国際自動ローミングサービス方法を提供することにある。
【０００５】
本発明の他の目的は、国内の加入者が国際ローミングサービスを受ける場合、利用する国際電話事業者を選択し得る国際自動ローミングサービス方法を提供することにある。
【０００６】
本発明のまた他の目的は、国内を訪問している外国加入者に正常的な移動電話サービスを円滑に提供し得る国際自動ローミングサービス方法を提供することにある。
【０００７】
【課題を解決するための手段】
上記の目的を達成するための本発明の第１観点による国際自動ローミングサービス方法は、（ａ）各移動局の国際ローミングサービス加入に関する情報を各加入者のプロファイルにそれぞれ格納する段階；（ｂ）サービス提供の可能な全てのＭＳＣのＩＤをＨＬＲのデータベースに格納する段階；（ｃ）上記ＨＬＲに登録通報メッセージが入力される場合、上記登録通報メッセージを送信したＭＳＣのＩＤ及び上記ＨＬＲのデータベースに格納されたＭＳＣのＩＤに基づき、上記登録通報メッセージが他のサービスシステムのＭＳＣから入力されたか、それとも同一のサービスシステムのＭＳＣから入力されたかを判断する段階；及び（ｄ）上記段階（ｃ）で上記登録通報メッセージが他のサービスシステムのＭＳＣから入力された場合には、上記プロファイルに格納された国際ローミングサービスへの加入有無に基づき、正常移動局であるかどうかに関する情報を上記ＭＳＣに伝送する段階；を含むことを特徴とする。上記方法は、各移動局の希望する国際電話事業者の国際電話コードを上記ＨＬＲにそれぞれ格納する段階；及び上記ＨＬＲに上記国際ローミング移動局の位置要求メッセージが受信された時、上記国際ローミング移動局のルーティング番号に上記ＨＬＲに格納された上記移動局の国際電話コードを追加して伝送する段階；をさらに含むことが望ましい。
【０００８】
本発明の第２観点による国際自動ローミングサービス方法は、（ａ）ＭＳＣで国際ローミング移動局を登録する段階；（ｂ）上記国際ローミング移動局に対するルーティング要求メッセージが受信された時、上記ＭＳＣで上記ルーティング要求メッセージが国際ルーティング要求であるかを判断する段階；及び（ｃ）上記段階（ｂ）で上記ルーティング要求メッセージが国際ルーティング要求の場合、上記国際ローミング移動局の国際ルーティング番号を発生させ、上記発生した国際ルーティング番号を伝送する段階；で構成される。上記方法は、上記ＭＳＣで上記国際ローミング移動局からの通話要請信号を受信した場合、上記ＭＳＣが上記国際ローミング移動局に仮想の発信番号を割り当て、上記仮想の発信番号を呼接続メッセージ内の発信番号として伝送する段階；をさらに含むことが望ましい。また、望ましくは、上記国際ルーティング番号はＴＬＤＮに国家コード及び上記ＭＳＣの移動事業者コードを追加したものである。
【０００９】
本発明によれば、国内の加入者が外国でのサービスを選択することができ、また、国内を訪問している外国の加入者に正常的な移動電話サービスを円滑に提供することができる。
【００１０】
【発明の実施の形態】
以下、本発明の実施例につき、図面を参照しながら詳しく説明する。
図１は国際移動通信ネットワークの一例を示した図である。
同図を参照すれば、国際移動通信ネットワーク１０は、第１国家移動通信ネットワーク１２及び通常の第２国家移動通信ネットワーク３２で構成される。同図には２ヶ国の通信ネットワーク１２及び３２だけを示したが、国際移動通信ネットワークは相互連結された多数の国の移動通信ネットワークを含むとのことは当業者ならば理解できるだろう。また、本発明の詳細な説明においては、本発明が第１国家移動通信ネットワーク１２に適用されたものと想定する。従って、本発明は特定の移動通信システムに限定されるものではない。
【００１１】
図面における第１国家移動通信ネットワーク１２は、相互連結された多数の移動交換センター２４を含む。図面には３つのＭＳＣ１４だけが示されているが、上記第１国家移動通信ネットワーク１２はより多くの相互連結されたスイッチングノード（又は、ＭＳＣ）を含むことができるとのことは当業者ならば理解できるだろう。
【００１２】
上記多数のＭＳＣ１４はデジタル又はアナログ移動電話（セルラー、ＰＣＳ等の移動電話）サービスを多数の加入移動局１６に提供する。上記多数のＭＳＣ１４はシグナリングリンク２０及び音声トランク１８を介して通信するために相互連結される。上記音声トランク１８は上記各ＭＳＣ１４間の加入者通信に使用される音声及びデータ通信経路を提供する。上記シグナリングリンク２０は音声通信リンクを通しての音声及びデータ通信リンクの設定及び遮断、及び加入移動局１６に対するサービス提供の特性を制御するために使用される各ＭＳＣ１４間の命令信号を伝送する。上記多数のＭＳＣはシグナリングリンク２０によってＨＬＲ２２に連結される。
【００１３】
上記ＨＬＲ２２は位置情報及びサービス情報を含む、割り当てられた各加入移動局１６に関する情報をそのデータベース（図示せず）に格納する。また、ＨＬＲ２２のデータベースには、本発明によって、上記サービス加入情報ファイルに上記各移動局１６の国際ローミングサービスへの加入、及び上記移動局１６のサービスされたい国際電話事業者の国際電話番号等に対する情報を格納する。また、上記ＨＬＲ２２には、本発明によって、国際ローミングサービスを提供しようとする、後述する第２国家移動通信ネットワーク３２のＭＳＣのＩＤ及び他の国のＭＳＣのＩＤが格納される。上記ＨＬＲ２２には上記第２国家移動通信ネットワーク及び他の国家移動通信ネットワークの加入者のための多数の仮想発信番号が格納され、上記ＭＳＣ１４からの要請があった時、上記多数の仮想発信番号を各ＭＳＣ１４にそれぞれ提供する。
【００１４】
また、各ＭＳＣ１４はＶＬＲ（Visitor Location Register）２６のデータベースに連結される。上記ＶＬＲ２６はそのＭＳＣ１４が現在サービスしている加入移動局に対する加入者情報を任意に格納する。
【００１５】
上記第２国家移動通信ネットワーク３２は相互連結された多数のＭＳＣ３４を含む。図１には３つのＭＳＣ３４だけが示されているが、上記第２国家移動通信ネットワークはより多くの相互連結されたＭＳＣを含むことができるとのことは当業者ならば理解できるだろう。上記ＭＳＣ３４はデジタル又はアナログ移動電話サービスを多数の加入移動局３６に提供する公知の通信ＭＳＣである。例えば、上記ＭＳＣはＩＳ−４１標準案に従う。上記多数のＭＳＣ３４は、シグナリングリンク４０及び音声トランク３８を介して通信するために相互連結される。上記音声トランク３８は上記ＭＳＣ３４間の加入者通信に使用される音声及びデータ通信経路を提供する。上記シグナリングリンク４０は音声トランクを介しての音声及びデータ通信リンクの設定及び遮断、及び加入移動局３６に対するサービス特徴の提供を制御するために使用される各ノード３４間の命令信号を伝送する。上記ＭＳＣ３４はシグナリングリンク４０によってＨＬＲ４２に連結される。ＨＬＲ４２のデータベースは位置情報及びサービス情報を含む、割り当てられた加入移動局３６に関する情報を格納する。上記ＨＬＲ４２はＩＳ−４１標準案に従うＨＬＲである。また、各ＭＳＣ３４はＶＬＲ４６のデータベースに連結される。上記ＶＬＲ４６はそのＭＳＣによって現在サービスを提供されている加入移動局に対する加入者情報を任意に格納する。
【００１６】
国際ゲートウエー（International Gateway；以下、ＩＧＷという）５０は、本発明の適用される第１国家移動通信ネットワーク１２のＭＳＣ１４のうち少なくとも１つと第２国家移動通信ネットワーク３２のＭＳＣ３４のうち少なくとも１つとを連結させる。上記ＩＧＷ５０には多様な通信ネットワークが含まれ得ることは当業者ならば理解できるだろう。例えば、上記ＩＧＷ５０はＰＳＴＮ及び国際電話事業者又は衛星通信ネットワークを含む。
【００１７】
図１において、第１国家移動通信ネットワーク１２への加入移動局が第２国家移動通信ネットワーク３２を訪問する場合、移動局１６１は上記訪問した地域にサービスを提供している上記第２国家移動通信ネットワーク３２内のＭＳＣ３４に登録しなければならない。
【００１８】
図２は、本発明の国際自動ローミングサービス方法によって、国際ローミング移動局１６１の登録過程を説明するための信号のフローチャートである。
【００１９】
同図を参照すれば、上記第１国家移動通信ネットワーク１２への加入移動局が上記第２国家移動通信ネットワーク３２内のＭＳＣ３４を訪問する場合、上記移動局１６１は登録のために登録要請メッセージ２００を上記ＭＳＣ３４に伝送する。登録要請信号２００を受信した場合、上記第２国家移動通信ネットワーク３２のＭＳＣ３４は、登録通報（REGistration NOTification；以下、ＲＥＧＮＯＴという）２１０メッセージを上記国際ゲートウエー５０を通して上記移動局１６１の加入した第１国家移動通信ネットワークのＨＬＲ２２に伝送する。上記ＨＬＲ２２は上記ＭＳＣ３４からＲＥＧＮＯＴメッセージを受信した場合、上記ＨＬＲ２２のデータベースに格納されたＭＳＣのＩＤに基いて、上記ＲＥＧＮＯＴメッセージがどんなシステムのＭＳＣ３４からのメッセージであるかを判断する。上記判断の結果、上記ＲＥＧＮＯＴメッセージが外国、即ち第２国家通信ネットワーク３２のＭＳＣ３４からのものである場合、上記ＨＬＲ２２はデータベースから上記移動局１６１のプロファイルを検索して上記移動局１６１が国際ローミングサービスに加入した移動局１６１であるかどうかを判断する（２２０）。上記判断の結果、上記移動局１６１が国際ローミングサービスに加入した移動局１６１であるならば、上記ＨＬＲ２２はデータベースに上記移動局１６１の位置を格納し、上記ＭＳＣ３４において通信サービスに必要となる情報、即ち、正常的な情報（使用者プロファイル、交換キャリアＩＤ、認証に対するシークレットキー等）とともにＲＥＧＮＯＴ応答メッセージ２３０を上記ＭＳＣ３４に伝送する。一方、上記判断の結果、上記移動局１６１が上記ＭＳＣ３４のシステムに対する国際ローミングサービスに加入していない移動局１６１であるならば、上記ＨＬＲ２２は登録失敗（Authority Denied Parameter）を示す上記ＲＥＧＮＯＴ応答メッセージ２３０をＭＳＣ３４に伝送して、ＭＳＣ３４に上記移動局１６１が登録されることを防止する。
【００２０】
以下、外国に登録された上記移動局１６１への着信過程につき、図３を参照しながら説明する。
【００２１】
図３は、本発明によって第２国家移動通信ネットワーク３２のＭＳＣ３４に登録された国際ローミング移動局１６１への着信過程を説明するための図である。
【００２２】
上記第１国家移動通信ネットワーク１２のＭＳＣ１４で、上記第２国家移動通信ネットワーク３２のＭＳＣ３４に登録された上記国際ローミング移動局１６１を呼び出すメッセージを受信した場合、上記第１国家移動通信ネットワーク１２のＭＳＣ１４は上記ＨＬＲ２２に上記移動局１６１の位置情報要請メッセージ３１０を伝送する。上記ＭＳＣ１４から上記移動局１６１の位置情報要請メッセージが受信された場合、上記ＨＬＲ２２はデータベースから上記移動局１６１の現在の位置を確認する（３２０）。次いで、上記ＨＬＲ２２は上記移動局１６１が現在登録されている上記ＭＳＣ３４にＩＧＷ５０を通してルーティング要求メッセージ３３０を伝送する。上記ルーティング要求メッセージ３３０を受信した場合、上記ＭＳＣ３４は上記ルーティング要求メッセージ３３０に応答して上記移動局１６１のルーティング番号（ＴＬＤＮ）を割り当て（３４０）、上記割り当てられたルーティング番号を上記ＨＬＲ２２に伝送する（３５０）。上記ＭＳＣ３４より上記ルーティング番号が入力された場合、上記ＨＬＲ２２は上記ルーティング番号に上記呼び出された移動局１６１のプロファイルに格納された“００１、００２、００８、００７５５”等のような、国際電話サービス会社の国際電話事業者番号を追加して（３６０）、上記ＭＳＣ１４に伝送する。次いで、上記移動局１６１と呼出した人との間での通話確立はＩＳ−４１のような通常の方法により連結されるため、ここではその詳細な説明は省略する。
【００２３】
図４は、第２国家移動通信ネットワークに属する移動局３６が第１国家移動通信ネットワークに訪問した時、訪問してきた移動局に対して着信サービスを提供する本発明による方法を説明するための図である。
【００２４】
上記第１国家移動通信ネットワーク１２のＭＳＣ１４に第２移動通信ネットワーク３２に加入した移動局が訪問した場合、上記ＭＳＣ１４は上記移動局３６１を登録する。上記ＭＳＣ１４は外国の移動局からの通話要請に備えて予め準備された局番を上記移動局３６１に割り当てる。上記ＭＳＣ１４に上記移動局３６１に対する上記ルーティング要求メッセージ４００が入力される場合、上記ＭＳＣ１４は上記ルーティング要求メッセージが第１国家移動通信ネットワークのＭＳＣからのものであるか、又は上記第２国家移動通信ネットワーク３２を含む他の国の移動通信ネットワーク３２のＨＬＲ４２からのものであるかを判断する。上記ルーティング要求メッセージが他のシステムのＨＬＲ４２からのものである場合、上記ＭＳＣ１４は国際用ルーティング番号を生成し（４１０）、生成された国際用ルーティング番号（第２国家移動通信ネットワークと連結するための）を上記ＨＬＲ４２に伝送する（４２０）。一方、上記ルーティング要求メッセージが同一のシステムのＨＬＲ２２からのものである場合、上記ＭＳＣ１４は国内用ルーティング番号を生成し（４１０）、生成された国内用ルーティング番号（第１国家移動通信ネットワークで使用される）を上記ＨＬＲ４２に伝送する（４２０）。望ましくは、上記国際用ルーティング番号は、国内用ルーティング番号に国家コード及び国内移動通信事業者コードを付加したものである。
【００２５】
また、上記訪問中の移動局３６１が通話を試みる場合、上記ＭＳＣ１４は呼接続メッセージに上記移動局３６１の電話番号の代わりに、上記移動局３６１の登録時に割り当てられた上記仮想発信番号を伝送することにより、上記移動局３６１が第１国家移動通信システムとは異なる番号体系を有することに因る混線を防止する。
【００２６】
【発明の効果】
以上説明したように、本発明によれば、国内の加入者が外国でのサービスを選択することができ、また、国内を訪問している外国の加入者に正常的な移動電話サービスを円滑に提供することのできる国際自動ローミングサービス方法を実現することができる。
【００２７】
以上、本発明を具体的な実施例に基づいて説明したが、本発明はこれに限定されるものではなく、当業者の通常の知識の範囲内でその変形や改良が可能であるのは勿論である。
【図面の簡単な説明】
【図１】国際移動通信ネットワークの一例を示した図である。
【図２】本発明の国際自動ローミングサービス方法によって国際ローミング移動局の登録過程を説明するための信号のフローチャートである。
【図３】本発明によって外国のＭＳＣに登録された移動局への着信過程を説明するための図である。
【図４】第２国家移動通信ネットワークに属する移動局が第１国家移動通信ネットワークに訪問した時、訪問してきた移動局に対して着信サービスを提供する本発明による方法を説明するための図である。
【符号の説明】
１４、３４  ＭＳＣ
１６、１６１  移動局
２０、４０  シグナリングリンク
１８、３８  音声トランク
２２、４２  ＨＬＲデータベース
２６、４６  ＶＬＲ
５０  ＩＧＷ
【図１】
0003742857.tif 000002
【図２】
0003742857.tif 000003
【図３】
0003742857.tif 000004
【図４】
0003742857.tif 000005